(57)【要約】【課題】収納物が潰れ難く、しっかり握持出来落とし難くく、開口の開閉操作が容易な釣り用ケ−スを提供すること。【解決手段】塩化ビニ−ル、エチレン酢酸ビニ−ル等の合成樹脂のシ−トを溶着や縫着等でつなぎ合わせて形成し、前壁１と後壁２とさらに両壁を一定の距離で向かい合わせて両壁の周縁を周回する外周壁３を有している。外周壁３には開口３ａが形成されて開口３ａにチャック１１が取り付けられている。前壁１と後壁２の少なくとも何れか一方に、内壁４と外壁５と、内壁４と外壁５による空気層αの構成が組み込まれている。【選択図】　　　　図２
2004057167.tif 000002
【特許請求の範囲】
【請求項１】
柔軟性を有する合成樹脂シ−トで形成したケ−ス体の少なくとも壁の１つを、内壁と外壁で形成し、前記内壁と前記外壁の間に空気層を形成したことを特徴とする釣り用ケ−ス。
【請求項２】
前記内壁と前記外壁は互いに接合された接合部と非接合部を有し、非接合部は、前記内壁と前記外壁の少なくとも何れか一方が他方に対し離れる方向に湾曲していることを特徴とする請求項１記載の釣り用ケ−ス。
【請求項３】
ケ−ス体は、前壁と後壁と両壁の周縁を周回する外周壁を有し、少なくとも前壁と後壁の１つを、内壁と外壁で形成し、前記内壁と前記外壁の間に空気層を形成すると共に、前記外周壁にチャックで開閉できる開口を設けたことを特徴とする請求項１又は２記載の釣り用ケ−ス。
【請求項４】
柔軟性を有する合成樹脂シ−トで形成した内壁と外壁の間に空気層が出来るようにたるませて重合して両壁の周縁を接合して形成した壁を用いたことを特徴とする釣り用ケ−スの製造方法。
【請求項５】
内壁と外壁の周縁を重合して接合し、内部側に空気層を設けると共に、内部側の適宜位置の内壁と外壁を重合して接合して形成した壁を用いたことを特徴とする請求項４記載の釣り用ケ−スの製造方法。
【発明の詳細な説明】
【０００１】
【発明の属する技術分野】
本発明は、前壁と後壁の少なくとも何れか一方に、内部に空気層を設けた内壁と外壁で形成した壁を用いた釣り用ケ−スの改良に関する。
【０００２】
【従来の技術】
従来から釣り用タックルケ−スは、ルア−用のタックルケ−スのように硬質の合成樹脂で形成したものや柔軟性を有する合成樹脂で形成された仕掛け等を収納する小物用のタックルケ−ス等が使用されている。
これらケ−スのうち柔軟性を有する合成樹脂で形成されたケ−スは、収納した物が潰れやすく、また、持ったときにケ−スが潰れてしまうためつかみ所が無くなり、誤って落とすことがあった。
また、これらのケ−スは、誤って水に落とした場合、ケ−ス内に水が浸入するとすぐに沈んでしまい回収が難しかった。
さらに、これらのケ−スは、開口にチャックを設けたものが多いが、ケ−スが潰れてしまうと収納した物を取り出すための開口の開け閉めが困難になるという欠点を有していた。
【０００３】
【発明が解決しようとする課題】
解決しようとする
第１の課題は、柔軟性を有する合成樹脂で形成されたケ−スは、収納した物が潰れやすく、また、持ったときにケ−スはが潰れてしまうためつかみ所が無くなり、誤って落とすことがあること。
第２の課題は、これらのケ−スは、誤って水に落とした場合、ケ−ス内に水が浸入するとすぐに沈んでしまい回収が難しいこと。
第３の課題は、これらのケ−スは、開口にチャックを設けたものでは、ケ−スが潰れてしまうと収納した物を取り出すための開口の開け閉めが困難になること。等である。
【０００４】
本発明の目的は前記欠点に鑑み、収納物が潰れ難く、しっかり握持出来落とし難くく、開口の開閉操作が容易な釣り用ケ−スを提供することである。
【０００５】
【課題を解決するための手段】
上記課題を解決するために、
請求項１に係わる本発明は、柔軟性を有する合成樹脂シ−トで形成したケ−ス体の少なくとも壁の１つを、内壁と外壁で形成し、前記内壁と前記外壁の間に空気層を形成したことを要旨とするものである。
請求項２に係わる本発明は、前記内壁と前記外壁は互いに接合された接合部と非接合部を有し、非接合部は、前記内壁と前記外壁の少なくとも何れか一方が他方に対し離れる方向に湾曲していることを要旨とするものである。
請求項３に係わる本発明は、ケ−ス体は、前壁と後壁と両壁の周縁を周回する外周壁を有し、少なくとも前壁と後壁の１つを、内壁と外壁で形成し、前記内壁と前記外壁の間に空気層を形成すると共に、前記外周壁にチャックで開閉できる開口を設けたことを要旨とするものである。
【０００６】
請求項４に係わる本発明は、柔軟性を有する合成樹脂シ−トで形成した内壁と外壁の間に空気層が出来るようにたるませて重合して両壁の周縁を接合して形成した壁を用いたことを要旨とするものである。
請求項５に係わる本発明は、内壁と外壁の周縁を重合して接合し、内部側に空気層を設けると共に、内部側の適宜位置の内壁と外壁を重合して接合して形成した壁を用いたことを要旨とするものである。
【０００７】
【発明の実施の形態】
請求項１の本発明により、収納物が潰れ難く、しっかり握持出来落とし難くい。
請求項２の本発明により、収納物が潰れ難く、握持しやすくなる。
請求項３の本発明により、ケ−ス体の外周壁３に設けた開口３ａを開閉するチャック１１の開閉が容易になる。
【０００８】
請求項４の本発明により、内壁と外壁の間に空気層を有する壁を用いた釣り用ケ−スが容易に製造できる。
請求項５の本発明により、内壁と外壁の間によりしっかり膨らんだ空気層を有する壁を用いた釣り用ケ−スが容易に製造できる。
【０００９】
【実施例】
以下、図示の一実施例によって本発明を説明すると、図１は釣り用ケ−スの斜視図、図２は釣り用ケ−スの縦断面側面図、図３は釣り用ケ−スを製作する溶着金型の断面側面図、図４は釣り用ケ−スを製作する他の溶着金型の断面側面図、図５は釣り用ケ−スの開口チャックを操作する斜視図である。
【００１０】
釣り用ケ−スを仕掛け等を収納する釣り小物ケ−スに使用した例で説明する。ケ−ス本体は、塩化ビニ−ル、エチレン酢酸ビニ−ル等の合成樹脂のシ−トを溶着や縫着等でつなぎ合わせて形成し、この実施例では、前壁１と後壁２とさらに両壁を一定の距離で向かい合わせて両壁の周縁を周回する外周壁３が補助部材１０を介して溶着で接合されいる。
外周壁３には開口３ａが形成されて開口３ａにチャック１１が取り付けられている。
前壁１と後壁２の少なくとも何れか一方に、内壁４と外壁５と、内壁４と外壁５による空気層αの構成が組み込まれている。
【００１１】
合成樹脂のシ−トは、厚さ３ｍｍ以下の柔軟性を有するものが用いられ、容易に歪んで、手で折り曲げても元に戻る程度のしなやかさを有し、又、通気性を有しない。
このケ−ス体の前壁１と後壁２はケ−ス内が見えるように透光性を有する合成樹脂のシ−トを用い、前壁１と後壁２の少なくとも何れか一方（本実施例では両方）を内壁４と外壁５で２重に形成し、内壁４と外壁５の間に空気層αが形成されている。
さらに内壁４と外壁５は外側周囲と中央部分が溶着されて接合部βとなり、中央接合部βの周囲が非接合部の空気層αで構成されている。
【００１２】
内壁４と外壁５が形成される時は、図４、図５のように溶着金型６の身側金型６′上に厚手の内壁４用合成樹脂のシ−ト７が載せられる。
身側金型６′の中央には接合部βを形成する台部６ａが突出されている。
身側金型６′上に厚手の内壁４用合成樹脂のシ−ト７が載せられる時は、周縁以外は下側にたるませて中央を台部６ａ上に載せる。
内壁４用合成樹脂のシ−ト７の上には薄手の外壁５用合成樹脂のシ−ト８が密着しないようにシ−ト７との間に隙間ができるように載せられる。
この時シ−ト８は内部側が上方へ膨らむように中高に載せられる。
【００１３】
次に身側金型６′の上方に蓋側金型６″を外壁５用合成樹脂のシ−ト８にかぶせるように載せられて内壁４用合成樹脂のシ−ト７と外壁５用合成樹脂のシ−ト８の周縁が溶着され周縁接合部β′が形成されて空気層αに空気が閉じ込められる。
さらに台部６ａの上方の蓋側金型６″から押圧体９が外壁５用合成樹脂のシ−ト８上に押し下げられてシ−ト７とシ−ト８の内部側の中央が溶着される。
このようにシ−ト７とシ−ト８の周縁に加えて内部側を接合するとさらに空気層αが狭くなるが、空気が閉じ込められているため、シ−ト７とシ−ト８のたるみが減って空気層αがしっかり膨らむ。
【００１４】
前記のように内壁４と外壁５が形成されると、内壁４の非接合部はケ−ス体の内側に外壁５方向から離れるように膨出状に湾曲し、外壁５の非接合部はケ−ス体の外側に内壁４方向から離れるように膨出状に湾曲している。
前記のように内壁４と外壁５の間に非接合部の空気層αを設けると、ケ−ス体は水に浮かせることが出来る。
【００１５】
内壁４と外壁５の間に非接合部の空気層αを設けると、内壁４と外壁５はクッション性を有することになり、ケ−スを握持してもすぐに潰れず、収納物が潰れずに保護され、しっかり握持出来て落とし難くなる。
このクッション性は中央接合部βを形成することで内壁４と外壁５それぞれのたるみを少なくして空気層αをしっかり膨らませるとより大きくなってさらに握持しやすくなる。
また、誤って水に落としてもケ−ス体は浮いてすぐに沈まず、回収しやすい。
内壁４は外壁５より厚いシ−トを用いることで、剛性を大きくしているため、ケ−ス内方へ向けての湾曲が緩くなって、外壁５に比べその突出が少なくなるため、ケ−ス内のスペ−スがあまり狭くならず、充分釣具を収納できる。
また、内壁４と外壁５の間に周縁接合部β′に加えて中央接合部βを設けると、中央接合部β位置のケ−ス外側では凹部となり、非接合部の空気層α位置のケ−ス外側では外側に向けて湾曲する膨出部となる。
【００１６】
図５のように中央接合部βに指先を当てて握持すると膨出部が指の基、又は手のひらで握り込むことが出来るため、しっかり握持出来て落とさない。
さらに前壁１と後壁２の何れか一方に、内壁４と外壁５とによる空気層αの構成を組み込むと、ケ−ス体を握持した時ケ−ス体が歪み難いため、外周壁３に開口３ａを設け、この開口３ａをチャック１１で開閉自在にした場合、チャック１１にたるみが出来難くなり、開閉操作を邪魔することがない。
また、さらに、外周壁３のチャック１１を設けない部分に外周壁３の歪みを防止するための外周壁３と同じかこれより剛性の大きい板体等の保形体１２を添設するとさらにケ−ス体が握持したとき外周壁３が歪みにくいためチャック１１による開口の開閉操作が容易になる。
【００１７】
前記のように釣り用ケ−スが構成されると、収納物が潰れ難く、しっかり握持出来落とし難くい。
収納物が潰れ難く、握持しやすくなる。
ケ−ス体の外周壁３に設けた開口３ａを開閉するチャック１１の開閉が容易になる。
【００１８】
前記説明では、内壁４と外壁５の略中央に中央接合部βを設けたが、中央以外に周縁接合部β′より内部側であればどの箇所に設けてもよい。
さらに中央接合部βは複数箇所に接合部を設けてもよい。
【００１９】
【発明の効果】
本発明は、以上説明したような形態で実施され、以下に記載されるような効果を奏する。
【００２０】
請求項１により、収納物が潰れ難く、しっかり握持出来落とし難くい。
請求項２により、収納物が潰れ難く、握持しやすくなる。
請求項３により、ケ−ス体の外周壁に設けた開口を開閉するチャックの開閉が容易になる。
請求項４により、内壁と外壁の間に空気層を有する壁を用いた釣り用ケ−スが容易に製造できる。
請求項５により、内壁と外壁の間によりしっかり膨らんだ空気層を有する壁を用いた釣り用ケ−スが容易に製造できる。
【図面の簡単な説明】
【図１】釣り用ケ−スの斜視図である。
【図２】釣り用ケ−スの縦断面側面図である。
【図３】釣り用ケ−スを製作する溶着金型の断面側面図である。
【図４】釣り用ケ−スを製作する他の溶着金型の断面側面図である。
【図５】釣り用ケ−スの開口チャックを操作する斜視図である。
【符号の説明】
１　前壁
２　後壁
３　外周壁
３ａ　開口
４　内壁
５　外壁
１１　チャック
α　非接合部の空気層
β　中央接合部
β′周縁接合部
【図１】
2004057167.tif 000003
【図２】
2004057167.tif 000004
【図３】
2004057167.tif 000005
【図４】
2004057167.tif 000006
【図５】
2004057167.tif 000007